(57)【特許請求の範囲】
【請求項１】
履物において、
ソール構造体であって、該ソール構造体の上部から下部まで貫通する穴を含むソール構造体と、
前記ソール構造体の側部に近接して配置された端部に向かって延びるストラップであって、該ストラップの前記端部に複数の分離可能部を含む固定部を有する、ストラップと、
を備え、
前記複数の分離可能部の各々は幅広部を含み、前記複数の分離可能部の前記幅広部は、重ね合わされたときの重ね合せ幅を有し、
前記穴は幅を有し、
各幅広部の重ね合わされていないときの幅は前記穴の幅よりも小さく、
前記重ね合せ幅は前記穴の幅よりも大きく、
前記ソール構造体に前記ストラップを係止させるために、前記穴に前記固定部を着脱可能に挿入することができる、履物。
【請求項２】
前記ストラップは、二つの分離可能部を含む、請求項１に記載の履物。
【請求項３】
前記ストラップは、三つ以上の分離可能部を含む、請求項２に記載の履物。
【請求項４】
各幅広部は、前記ストラップの折り畳まれた部分である、請求項１に記載の履物。
【請求項５】
前記複数の分離可能部の各分離可能部は、各幅広部に隣接する幅狭部を含む、請求項１に記載の履物。
【請求項６】
各幅広部の幅は各幅狭部の約二倍である、請求項５に記載の履物。
【請求項７】
履物において、
ソール構造体であって、該ソール構造体の上部から下部まで貫通する穴を含むソール構造体と、
第１の分離可能部、第２の分離可能部、及び第３の分離可能部を含む鼻緒部と、
を備え、
第１の分離可能部は第１の幅広部を有し、第２の分離可能部は第２の幅広部を有し、及び第３の分離可能部は第３の幅広部を有し、
前記穴の上部は、一杯に伸長された位置での前記穴の断面積に対応する伸長断面積と、非伸長位置での前記穴の断面積に対応する非伸長断面積とを有し得るものであり、
第１の幅広部の断面積は前記非伸長断面積よりも小さく、第２の幅広部の断面積は前記非伸長断面積よりも小さく、第３の幅広部の断面積は前記非伸長断面積よりも小さく、
第１の幅広部、第２の幅広部、及び第３の幅広部の合計の断面積は、前記穴の伸長断面積よりも大きい、履物。
【請求項８】
前記穴は、概ね円形の断面領域を有する、請求項７に記載の履物。
【請求項９】
第１の幅広部、第２の幅広部、及び第３の幅広部の各々は、実質的に楔形の断面領域を有する、請求項８に記載の履物。
【請求項１０】
第１の分離可能部、第２の分離可能部、及び第３の分離可能部は、前記鼻緒部の一体化位置及び分離位置に関連し、第１の幅広部、第２の幅広部、及び第３の幅広部は、前記一体化位置において円盤形の形状となる、請求項７に記載の履物。
【請求項１１】
前記穴の下部の断面積は、前記合計の断面積よりも大きい、請求項７に記載の履物。
【請求項１２】
第１の幅広部、第２の幅広部、及び第３の幅広部は、前記ソール構造体の下部と実質的に面一である、請求項１１に記載の履物。
【請求項１３】
第１の分離可能部、第２の分離可能部、及び第３の分離可能部は、実質的にモノリシックな部分を含む、請求項７に記載の履物。
【請求項１４】
第１の分離可能部、第２の分離可能部、及び第３の分離可能部は、一体化位置において一緒に係止され得る、請求項７に記載の履物。
【請求項１５】
第１の分離可能部、第２の分離可能部、及び第３の分離可能部は、一緒にひねって係止され得る、請求項１４に記載の履物。
【請求項１６】
履物を組み立てる方法において、
ストラップの第１の分離可能部、第２の分離可能部、及び第３の分離可能部を分離するステップと、
第１の分離可能部の第１の幅広部を、第１の幅広部よりも実質的に幅広のソール構造体の穴に挿入するステップと、
第２の分離可能部の第２の幅広部を、第２の幅広部よりも実質的に幅広の前記穴に挿入するステップと、
第３の分離可能部の第３の幅広部を、第３の幅広部よりも実質的に幅広の前記穴に挿入するステップと、
前記ストラップを前記履物の前記ソール構造体に固定するステップと、
を含み、
第１の幅広部、第２の幅広部、及び第３の幅広部の重ね合せ幅は、前記穴の伸張されたときの伸長幅よりも実質的に大きいことを特徴とする、方法。
【請求項１７】
第１の分離可能部は第１の幅狭部を含み、前記穴の幅は、第１の幅狭部及び第２の幅広部を受け入れるのに十分である、請求項１６に記載の方法。
【請求項１８】
第２の分離可能部は第２の幅狭部を含み、前記穴の幅は、第１の幅狭部、第２の幅狭部、及び第３の幅広部を受け入れるのに十分である、請求項１７に記載の方法。
【請求項１９】
前記穴の下部の幅は、第１の幅広部、第２の幅広部、及び第３の幅広部の重ね合せ幅を受け入れるのに十分である、請求項１６に記載の方法。
【請求項２０】
前記穴は実質的に矩形の形状を有する、請求項１６に記載の方法。
【請求項２１】
履物において、
第１の穴と、第１の穴に隣接して配置された第２の穴とを含むソール構造体と、
前記ソール構造体の側部に近接して配置された端部に向かって延びるストラップであって、該ストラップの前記端部に複数の分離可能部を含む固定部を有する、ストラップと、
を備え、
前記固定部は一体化位置と分離位置に位置し得るものであり、
前記複数の分離可能部の各分離可能部は、幅広部を有する端部を有し、各幅広部は、前記分離位置において、第１の穴及び第２の穴の寸法よりも小さい分離したときの寸法を有し、
前記分離可能部の前記幅広部は、前記一体化位置において、第１の穴及び第２の穴の寸法よりも大きい合計の寸法を有し、
前記固定部は、前記ストラップを足の周囲で調節するために、第１の穴及び第２の穴に取り外し自在に挿入できる、履物。
【請求項２２】
第１の穴は、第２の穴と前記ソール構造体の概ね横方向に隣接して配置されている、請求項２１に記載の履物。
【請求項２３】
第１の穴及び第２の穴は、前記ストラップの幅を調節するために使用され得る、請求項２１に記載の履物。
【請求項２４】
第１の穴は、第２の穴と前記ソール構造体の概ね長手方向に隣接して配置されている、請求項２１に記載の履物。
【請求項２５】
第１の穴及び第２の穴は、前記ストラップの長さを調節するために使用され得る、請求項２１に記載の履物。
【請求項２６】
履物において、
ソール構造体であって、該ソール構造体の上部から下部まで貫通する穴を含むソール構造体と、
前記ソール構造体の前足部にある鼻緒部に近接する第１の端部から前記ソール構造体の側部に近接する第２の端部まで延びるストラップであって、該ストラップの前記端部に複数の分離可能部を含む固定部を有する、ストラップと、
を備え、
前記複数の分離可能部の各々は幅広部を含み、前記複数の分離可能部の前記幅広部は、重ね合されたときの重ね合せ幅を有し、
前記穴は幅を有し、
前記ストラップの各幅広部の重ね合わされていないときの幅は前記穴の幅よりも小さく、
前記重ね合せ幅は前記穴の幅よりも大きく、
前記ソール構造体に前記ストラップを係止させるために、前記穴に前記固定部を着脱可能に挿入することができる、履物。
【請求項２７】
前記ストラップは、前記ソール構造体の前記前足部から踵部まで延在する、請求項２６に記載の履物。
【請求項２８】
前記穴は、前記ソール構造体の内側部と前記ソール構造体の外側部のうちの少なくとも一方に近接して配置されている、請求項２６に記載の履物。
【発明の詳細な説明】
【技術分野】
【０００１】
本発明は、概して履物に関し、詳しくは、ストラップを有する履物に関する。
【背景技術】
【０００２】
これまでストラップをソールに固定する方法が提案されている。Ｂａｔｈｕｍ（米国特許出願第２００８／０１９６２６９号明細書）は、調節自在の中央ポストアッセンブリを有するサンダルを開示している。Ｂａｔｈｕｍは、ソールアッセンブリに固定された本体部を含む中央ポストアッセンブリと、ポストから突出した二つの可撓性の第２のストラップと、を教示している。ストラップは、ポストの穴に挿入して固定される。
【０００３】
Ｌｏｕｇｈｎａｎｅ（米国特許出願第２００９／００３８１８１号明細書）は、取り外し自在のストラップを有する履物を教示している。Ｌｏｕｇｈｎａｎｅは、一対のループがソールの両側に取り付けられたソール部材を教示している。ストラップは、ループを各々のはとめ金具に結ぶことによってソールに取り付けられる。
【発明の概要】
【発明が解決しようとする課題】
【０００４】
Ｂａｔｈｕｍ及びＬｏｕｇｈｎａｎｅは、ストラップを履物の所定の位置に固定するための様々な固定具を使用することを要求している。
【課題を解決するための手段】
【０００５】
一態様では、本発明は、履物において、ソール構造体であって、該ソール構造体の上部から下部まで貫通する穴を含むソール構造体と、複数の分離可能部を含むストラップとを備え、複数の分離可能部の各々は幅広部を含み、複数の分離可能部の幅広部は、重ね合わされたときの重ね合せ幅を有し、穴は通常の幅を有し、各幅広部の幅は通常の幅よりも小さく、重ね合せ幅は通常の幅よりも大きい、履物を提供する。
【０００６】
別の態様では、本発明は、履物において、ソール構造体であって、該ソール構造体の上部から下部まで貫通する穴を含むソール構造体と、第１の分離可能部、第２の分離可能部、及び第３の分離可能部を含む鼻緒部とを備え、第１の分離可能部は第１の幅広部を有し、第２の分離可能部は第２の幅広部を有し、及び第３の分離可能部は第３の幅広部を有し、穴の上部は、一杯に伸長された位置での穴の断面積に対応する伸張断面積と、非伸長位置での穴の断面積に対応する通常の断面積とを有し得るものであり、第１の幅広部の断面積は通常の断面積よりも小さく、第２の幅広部の断面積は通常の断面積よりも小さく、第３の幅広部の断面積は通常の断面積よりも小さく、第１の幅広部、第２の幅広部、及び第３の幅広部の合計の断面積は、穴の伸長断面積よりも大きい、履物を提供する。
【０００７】
更に別の態様では、本発明は、履物を組み立てる方法において、ストラップの第１の分離可能部、第２の分離可能部、及び第３の分離可能部を分離するステップと、第１の分離可能部の第１の幅広部を、第１の幅広部よりも実質的に幅広のソール構造体の穴に挿入するステップと、第２の分離可能部の第２の幅広部を、第２の幅広部よりも実質的に幅広の穴に挿入するステップと、第３の分離可能部の第３の幅広部を、第３の幅広部よりも実質的に幅広の穴に挿入するステップと、ストラップを履物のソール構造体に固定するステップとを含み、第１の幅広部、第２の幅広部、及び第３の幅広部の重ね合せ幅は、穴の伸張されたときの伸長幅よりも実質的に大きいことを特徴とする方法を提供する。
【０００８】
本発明は、履物において、第１の穴と、第１の穴に隣接して配置された第２の穴とを含むソール構造体と、ソール構造体用のストラップと関連し、複数の分離可能部を含む固定部とを備え、固定部は一体化位置と分離位置に位置し得るものであり、複数の分離可能部の各分離可能部は、分離位置において、第１の穴及び第２の穴の寸法よりも小さい分離したときの寸法を有し、分離可能部は、一体化位置において、第２の寸法よりも大きい合計の寸法を有し、固定部は、ストラップを足の周囲で調節するために、第１の穴及び第２の穴に取り外し自在に挿入できる、履物を提供する。
【０００９】
本発明の他のシステム、方法、特徴および利点は、以下の図面および詳細な説明を読むことで当業者に明らかとなる。本発明の範囲を逸脱することなく、追加のシステム、方法、特徴および利点のすべてが、本明細書の詳細な説明および要約に含まれるとともに、以下の特許請求の範囲によって保護されることを意図している。
【００１０】
本発明は、以下の図面および説明を参照することにより、さらによく理解される。各図に示される構成要素は、必要な寸法を示すものではなく、本発明の原理を示すことに主眼が置かれている。さらには、各図において、同様の参照番号は、様々な見取り図に亘って対応する部分を指示している。
【図面の簡単な説明】
【００１１】
【図１】図１は、履物の一実施例の分解斜視図である。
【図２】図２は、履物用の鼻緒部の一実施例の拡大斜視図である。
【図３】図３は、履物用の鼻緒部の一実施例の拡大斜視図である。
【図４】図４は、履物用のストラップの一実施例の拡大斜視図である。
【図５】図５は、履物用のストラップの一実施例の拡大斜視図である。
【図６】図６は、ソール構造体の穴を通して挿入されるストラップの一実施例の斜視図である。
【図７】図７は、ソール構造体の穴を通して挿入されるストラップの一実施例の断面図である。
【図８】図８は、ソール構造体の穴を通して挿入されるストラップの一実施例の斜視図である。
【図９】図９は、ソール構造体の穴を通して挿入されるストラップの一実施例の断面図である。
【図１０】図１０は、ソール構造体の穴を通して挿入されるストラップの一実施例の斜視図である。
【図１１】図１１は、ソール構造体の穴を通して挿入されるストラップの一実施例の断面図である。
【図１２】図１２は、ソール構造体の穴を通して一杯に挿入したストラップの一実施例の断面図である。
【図１３】図１３は、ソール構造体の穴を通して一杯に挿入したストラップの一実施例の断面図である。
【図１４】図１４は、ソール構造体の穴を通して挿入される鼻緒部の一実施例の斜視図である。
【図１５】図１５は、ソール構造体の穴を通して挿入される鼻緒部の一実施例の拡大斜視図である。
【図１６】図１６は、ソール構造体の穴を通して挿入される鼻緒部の一実施例の拡大斜視図である。
【図１７】図１７は、ソール構造体の穴を通して挿入される鼻緒部の一実施例の拡大斜視図である。
【図１８】図１８は、鼻緒部をソール構造体の穴を通して一杯に挿入した履物の一実施例の斜視図である。
【図１９】図１９は、鼻緒部をソール構造体の穴を通して一杯に挿入した履物の一実施例の斜視図である。
【図２０】図２０は、ソール構造体の下部の一実施例の斜視図である。
【図２１】図２１は、ソール構造体の下部の一実施例の斜視図である。
【図２２】図２２は、履物の一実施例の分解斜視図である。
【図２３】図２３は、履物の一実施例の斜視図である。
【図２４】図２４は、履物の一実施例の斜視図である。
【図２５】図２５は、履物の一実施例の斜視図である。
【発明を実施するための形態】
【００１２】
図１は、履物１００の例示の実施例の分解斜視図を示す。明瞭化を図るため、以下の詳細な説明は、サンダル又はビーチサンダルの形態の例示の実施例を論じるが、本発明は、ハイキングブーツ、サッカーシューズ、フットボールシューズ、スニーカー、ラグビーシューズ、バスケットボールシューズ、ベースボールシューズ、並びに他の種類のシューズを含む任意の履物の形態をとることができるがこれらに限定されないことを理解されたい。他の実施例では、本発明は、木靴、ミュール、エスパドリーユ、下駄、ジプシン、パッテン、ローマサンダル、海水浴用サンダル、フォームサンダル、ｔ−バーサンダル、並びにソールを足に固定するのにストラップを使用するこの他の任意の種類の開放シューズ又は爪先が開放したシューズを含む任意の履物の形態をとることができるがこれらに限定されない。図１に示すように、履物１００は、単に物品１００とも呼ばれ、右足で使用するようになっている。しかし、以下の説明は、左足で使用する履物１００の鏡像に対しても同様に説明できることを理解されたい。
【００１３】
図１は、参照する目的で、物品１００を、前足部１０、中足部１２および踵部１４に分けて示している。前足部１０は、概して、足指と、中足骨と趾骨とを繋いでいる関節と、に関連し得る。中足部１２は、概して、足の土踏まずに関連し得る。同様に、踵部１４は、概して、踵骨を含む足の踵に関連し得る。加えて、物品１００は、外側１６および内側１８を有し得る。特に、外側１６および内側１８は、物品１００において互いに反対の側に存在し得る。さらには、外側１６および内側１８は共に、前足部１０、中足部１２および踵部１４に亘って延在し得る。
【００１４】
前足部１０、中足部１２および踵部１４は、単に説明の目的で分けているだけであり、物品１００の正確な領域を区分するものではないことを理解されたい。同様に、外側１６と内側１８という用語は、物品１００を正確に２つの半部に区分するのではなく、概して、物品の２つの側を表すことを意図している。また、前足部１０、中足部１２および踵部１４、ならびに外側１６および内側１８という用語は、ソール構造体および／または上部体などの、物品の個別の構成要素を表すのに用いられる。
【００１５】
一貫性および利便性のために、方向を示す形容詞は、図示した実施例に対応する詳細な説明に亘って採用される。この詳細な説明および特許請求の範囲に亘って使用される「長手方向」という用語は、物品の長く延びている方向を示している。いくつかの場合、長手方向は、物品の前足部から踵部まで延びている。また、この詳細な説明および特許請求の範囲に亘って使用される「横」という用語は、物品の幅方向を指している。言い換えると、横方向は、物品の内側と外側との間に延在し得る。さらには、この詳細な説明および特許請求の範囲に亘って使用される「垂直」という用語は、概して、横方向と長手方向に対して概ね垂直な方向のことである。例えば、物品が地面に平らに置かれた場合、垂直方向は地面から上方へ延びている。これらの方向を示す形容詞の各々は、上部体および／またはソール構造体などの、物品の個別の構成要素を表すのに用いられ得ることを理解されたい。
【００１６】
物品１００は、ソール構造体１１０を含み得る。いくつかの実施例においては、ソール構造体１１０は、物品１００の静止摩擦を提供するように構成され得る。静止摩擦を提供することに加えて、ソール構造体１１０は、歩いたり、走ったり、他の歩行活動をする際に、足と地面との間で圧縮されたときに、地面反力を弱めることができる。ソール構造体１１０の構成は、様々な従来品の構造または従来品にはない構造を含む様々な実施例において、大きく異なり得る。いくつかの場合、ソール構造体１１０の構成は、該ソール構造体１１０が使用される１つまたは複数の種類の地面に応じて構成することができる。地面の例としては、自然芝、人工芝、ダートおよび他の地面があるが、これらに限定されない。
【００１７】
ソール構造体１１０は、物品１００が着用されたときに足と地面との間に延在する。様々な実施例においては、ソール構造体１１０は、様々な構成要素を含む。例えば、ソール構造体１１０は、外ソール、中ソールおよび／または内ソールを含む。いくつかの場合、これらの構成要素のうちの１つまたは複数が選択的である。この実施例においては、物品１００は、上部体を含んでいないが、他の実施例においては、上部体を含んでいてもよい。
【００１８】
ソール構造体１１０は、足を受け入れるように形成された上部１１２を含む。幾つかの場合、上部１１２には、足の掴みを高めるための手段が設けられていてもよい。足の掴みを高めるための手段の例には、小さな瘤状物、溝、並びに任意の他の手段が含まれるがこれらの手段に限定されない。更に、幾つかの場合、上部１１２は、摩擦係数の高い材料で形成されていてもよい。一実施例では、上部１１２は実質的に平滑な表面を備えていてもよい。更に、ソール構造体１１０は、上部１１２の反対側に配置された下部１１４を含む。
【００１９】
幾つかの実施例では、物品１００は、足をソール構造体１１０に固定する手段を含んでいてもよい。幾つかの場合、物品１００は、足の一部に巻き付けられる一つ又は複数のストラップを含んでいてもよい。一実施例では、物品１００は第１のストラップ１２０及び第２のストラップ１２２を含んでいてもよい。第１のストラップ１２０は、ソール構造体１１０の外側１６に取り付けられる第１の端部１３１を含んでいてもよい。第２のストラップ１２２は、ソール構造体１１０の内側１８に取り付けられる第１の端部１４１を含んでいてもよい。更に、第１のストラップ１２０は、物品１００の前足部１０と関連する第２の端部１３２を含んでいてもよい。同様に、第２のストラップ１２２は、物品１００の前足部１０と関連する第２の端部１４２を含んでいてもよい。
【００２０】
幾つかの実施例では、第１のストラップ１２０及び第２のストラップ１２２は、二つの別個のストラップであってもよい。しかし、他の実施例では、第１のストラップ１２０及び第２のストラップ１２２は、単一のストラップの互いに異なる部分であってもよい。例えば、一実施例では、第１のストラップ１２０の第２の端部１３２は、第２のストラップ１２２の第２の端部１４２と一体に形成されていてもよい。他の実施例では、第１のストラップ１２０及び第２のストラップ１２２は、縫い付け等の方法で互いに接合された個々のストラップであってもよい。更に、本実施例では二つのストラップを示しているが、他の実施例では、追加のストラップつまりソール構造体１１０を足に固定する手段が設けられていてもよい。別の実施例では、例えば、物品１００は、足の踵を横切って延びるヒールストラップを含んでいてもよい。更に別の実施例では、足をソール構造体１１０に固定する追加のストラップが前足部１０及び／又は中足部１２に設けられていてもよい。
【００２１】
物品１００は、ソール構造体１１０の前足部１０に第１のストラップ１２０および第２のストラップ１２２を取り付ける手段を備え得る。いくつかの実施例においては、物品１００は、ソール構造体１１０の前足部１０と、第１のストラップ１２０および第２のストラップ１２２の部分と、の間に延びるように構成された鼻緒部を備える。他の実施例においては、第１のストラップ１２０と、第２のストラップ１２２とは、前足部１０に直接取り付けられている。
【００２２】
ここでの実施例においては、物品１００は、鼻緒部２００を備える。鼻緒部２００は、第１の端部２０２および第２の端部２０４を有し得る。さらには、鼻緒部２００は、第１の端部２０２と第２の端部２０４との間に位置する中間部２０６を有し得る。いくつかの場合、第１の端部２０２は、第１のストラップ１２０の第２の端部１３２と、第２のストラップ１２２の第２の端部１４２と、に取り付けられて構成されている。鼻緒部２００の第２の端部２０４は、ソール構造体１１０に取り付けられている。この配置によって、鼻緒部２００は、第１のストラップ１２０および第２のストラップ１２２と、ソール構造体１１０との接続を補助することができる。
【００２３】
いくつかの実施例においては、鼻緒部２００は、２本の隣接する足指間に挟まれるように構成されている。例えば、一実施例においては、鼻緒部２００は、足の第一趾（親指）と人差し指との間に挟まれるように、ソール構造体１１０の一部に取り付けられている。他の実施例においては、鼻緒部２００は、他の隣接する足指間に挟まれる。他の場合、鼻緒部２００は、人差し指と中指との間に挟まれる。さらに他の場合、鼻緒部２００は、中指と薬指との間に挟まれる。さらに他の場合、鼻緒部２００は、薬指と小指との間に挟まれる。この配置にされていることで、鼻緒部２００によって、ソール構造体１１０が足に固定され易くなる。
【００２４】
ソール構造体１１０には、ストラップを受け入れるための手段が設けられていてもよい。一実施例では、ソール構造体１１０には、第１の穴１６０及び第２の穴１６２が設けられていてもよく、これらの穴は、夫々、ソール構造体１１０の外側１６及び内側１８に配置されている。幾つかの場合、第１の穴１６０及び第２の穴１６２は、ソール構造体１１０の上部１１２から下部１１４まで貫通していてもよい。
【００２５】
様々な実施例では、第１の穴１６０及び第２の穴１６２は、形状が変化し得る。第１の穴１６０及び第２の穴１６２についての様々な断面形状の例には、円形の形状、矩形の形状、多角形の形状、規則的な形状、不規則な形状、並びにこの他の任意の形成が含まれるが、これらの形状に限定されない。例示の実施例では、実質的に矩形の形状の第１の穴１６０及び第２の穴１６２が設けられている。
【００２６】
ソール構造体１１０は、鼻緒部を受け入れる手段を含んでいてもよい。一実施例では、ソール構造体１１０は、ソール構造体１１０の前足部１０に配置された第３の穴１６４を含んでいてもよい。幾つかの場合、第３の穴１６４は、ソール構造体１１０の上部１１２から下部１１４まで貫通していてもよい。
【００２７】
様々な実施例では、第３の穴１６４の形状が変化し得る。第３の穴１６４についての様々な断面形状の例には、円形の形状、矩形の形状、多角形の形状、規則的な形状、不規則な形状、並びに他の任意の形成が含まれるが、これらの形状に限定されない。例示の実施例では、実質的に円形の形状の第３の穴１６４が設けられている。
【００２８】
図２及び図３は、鼻緒部２００の一実施例の拡大斜視図を示す。詳細には、図２は、分離状態の鼻緒部２００の拡大斜視図を示し、これに対して図３は、一体化位置における鼻緒部２００の拡大斜視図を示す。図２及び図３を参照すると、幾つかの実施例では、鼻緒部２００は、複数の分離可能部を含んでいてもよい。幾つかの場合、鼻緒部２００は、二つ以上の分離可能部を含んでいてもよい。一実施例では、鼻緒部２００は、三つの分離可能部を含んでいてもよい。
【００２９】
この実施例では、鼻緒部２００は、第１の分離可能部２１１、第２の分離可能部２１２、及び第３の分離可能部２１３を含んでいてもよい。第１の分離可能部２１１は、第１の幅狭部２２１及び第１の幅広部２３１をさらに含んでいてもよい。同様に、第２の分離可能部２１２は、第２の幅狭部２２２及び第２の幅広部２３２をさらに含んでいてもよい。第３の分離可能部２１３もまた、第３の幅狭部２２３及び第３の幅広部２３３をさらに含んでいてもよい。幾つかの場合、第１の幅広部２３１、第２の幅広部２３２、及び第３の幅広部２３３の断面積はそれぞれ、第１の幅狭部２２１、第２の幅狭部２２２、及び第３の幅狭部２２３よりも実質的に大きい。この詳細な説明の全体及び特許請求の範囲に亘って使用される「幅広部」という用語は、鼻緒部と関連する特定の方向や寸法に限定されないことが理解されよう。本実施例では、例えば、幅広部は、分離可能部の長手方向軸線に対して垂直でかつ幅狭部よりも大きい断面領域と関連している。しかし、他の実施例では、幅広部は、任意の他の寸法又は方向について幅狭部よりも大きくてもよい。
【００３０】
鼻緒部２００は、分離位置又は一体化位置に配置され得る。分離位置では、第１の分離可能部２１１、第２の分離可能部２１２、及び第３の分離可能部２１３は分離しており、即ち互いに離間している。詳細には、分離位置では、第１の分離可能部２１１、第２の分離可能部２１２、及び第３の分離可能部２１３は実質的に互いに独立して動くように構成されている。これに対し、一体化位置では、第１の分離可能部２１１、第２の分離可能部２１２、及び第３の分離可能部２１３は互いに隣接して配置されている。換言すると、一体化位置では、第１の分離可能部２１１と、第２の分離可能部２１２と、第３の分離可能部２１３との間に実質的に隙間がない。幾つかの場合、第１の分離可能部２１１、第２の分離可能部２１２、及び第３の分離可能部２１３は、一体化位置で、複合的な部分として動いてもよい。
【００３１】
幾つかの実施例では、第１の幅狭部２２１、第２の幅狭部２２２、及び第３の幅狭部２２３は、鼻緒部２００の中間部分２０６から第２の端部２０４に向かって延びるステム状部分を有し得る。幾つかの場合、鼻緒部２００が一体化位置に配置されたとき、ほぼ円筒形の形状を形成するように、第１の幅狭部２２１、第２の幅狭部２２２、及び第３の幅狭部２２３が一緒に嵌合し得る。他の場合、他の種類の任意の形状を形成するように、第１の幅狭部２２１、第２の幅狭部２２２、及び第３の幅狭部２２３が一緒に嵌合し得る。加えて、第１の幅広部２３１、第２の幅広部２３２、及び第３の幅広部２３３は、第１の幅狭部２２１、第２の幅狭部２２２、及び第３の幅狭部２２３から夫々延びる楔状部分を備えていてもよい。幾つかの場合、鼻緒部２００が一体化位置に置かれたとき、ほぼ円盤形つまりボタン形の形状を形成するように、第１の幅狭部２２１、第２の幅狭部２２２、及び第３の幅狭部２２３が一緒に嵌合し得る。
【００３２】
様々な実施例では、一つ又は複数の分離可能部を一体に成形してもよい。例えば、一実施例では、鼻緒部２００の第２の端部２０４をほぼ三つの均等な部分に分割することによって、第１の分離可能部２１１、第２の分離可能部２１２、及び第３の分離可能部２１３を形成していてもよい。換言すると、第１の分離可能部２１１、第２の分離可能部２１２、及び第３の分離可能部２１３は、鼻緒部２００の実質的にモノリシックな部分を形成してもよい。幾つかの場合、第１の分離可能部２１１、第２の分離可能部２１２、及び第３の分離可能部２１３は、鼻緒部２００の中心軸に沿って分割されている。しかし、他の実施例では、第１の分離可能部２１１、第２の分離可能部２１２、及び第３の分離可能部２１３は、一体に接合された別個の部品であってもよい。例えば、別の実施例では、第１の分離可能部２１１、第２の分離可能部２１２、及び第３の分離可能部２１３は、接着剤又は任意の種類の固定具を使用して一体に接合されていてもよい。
【００３３】
本実施例では、第１の分離可能部２１１、第２の分離可能部２１２、及び第３の分離可能部２１３は、ほぼ同じ形状であってもよい。しかし、他の実施例では、第１の分離可能部２１１、第２の分離可能部２１２、及び第３の分離可能部２１３は、実質的に互いに異なる形状と関連していてもよい。更に、本実施例は、分離可能な三つの部分を含むが、他の実施例では、他の数の分離可能部を有していてもよい。
【００３４】
幾つかの実施例では、鼻緒部２００に、分離可能部を一体化位置に維持する手段が設けられていてもよい。例えば、幾つかの場合、分離可能部に、一体化位置に互いにスナップ嵌めする手段が設けられていてもよい。その他の場合、分離可能部は、何らかの方法で一緒に編い付け又は相互係止され得る。更に他の場合、鼻緒部に、分離可能部の幅狭部上で摺動し、一体化位置で分離可能部を係止するリングが設けられていてもよい。更に他の場合、分離可能部が一体化位置で一緒にひねって係止される。複数の分離可能部を一体化位置に維持するために、他の任意の手段を使用してもよいことが理解されよう。
【００３５】
図４及び図５は、第１のストラップ１２０の一実施例の拡大斜視図を示す。詳細には、図４は、分離位置での第１のストラップ１２０の拡大斜視図を示すのに対し、図５は、一体化位置での第１のストラップ１２０の拡大斜視図を示す。本実施例は、第１のストラップ１２０の拡大図しか示してないが、幾つかの実施例では、第２のストラップ１２２は、第１のストラップ１２０と実質的に同じである。
【００３６】
図４及び図５を参照すると、第１のストラップ１２０は、複数の分離可能部を含んでいてもよい。幾つかの場合、第１のストラップ１２０は、二つ以上の分離可能部を含んでいてもよい。一実施例では、第１のストラップ１２０は、三つの分離可能部を含んでいてもよい。この実施例では、第１のストラップ１２０は、第１の分離可能部３１１、第２の分離可能部３１２、及び第３の分離可能部３１３を含む。第１の分離可能部３１１は、更に、第１の幅狭部３２１及び第１の幅広部３３１を含んでいてもよい。同様に、第２の分離可能部３１２は、更に、第２の幅狭部３２２及び第２の幅広部３３２を含んでいてもよい。第３の分離可能部３１３は、更に、第３の幅狭部３２３及び第３の幅広部３３３を含んでいてもよい。幾つかの実施例では、第１の幅広部３３１、第２の幅広部３３２、及び第３の幅広部３３３は、少なくとも一つの方向で、それぞれ、第１の幅狭部３２１、第２の幅狭部３２２、及び第３の幅狭部３２３よりも実質的に幅広であってもよい。この詳細な説明及び特許請求の範囲に亘って使用される幅広部という用語は、ストラップと関連する特定の方向や寸法に限定されないことが理解されよう。本実施例では、例えば、幅広部は、分離可能部の表面に対して垂直方向の寸法に沿って、幅狭部よりも大きく延びている。他の実施例では、幅広部は、他の任意の寸法又は方向についても幅狭部よりも大きい。
【００３７】
幾つかの実施例では、第１のストラップ１２０は、分離位置又は一体化位置に位置し得る。分離位置では、第１の分離可能部３１１、第２の分離可能部３１２、及び第３の分離可能部３１３は分離しており、即ち互いに離間している。詳細には、分離位置では、第１の分離可能部３１１、第２の分離可能部３１２、及び第３の分離可能部３１３は、互いに実質的に独立して動くように構成されていてもよい。これとは対照的に、一体化位置では、第１の分離可能部３１１、第２の分離可能部３１２、及び第３の分離可能部３１３は、互いに隣接して配置されていてもよい。換言すると、一体化位置では、第１の分離可能部３１１、第２の分離可能部３１２、及び第３の分離可能部３１３は、該分離可能部間の間隔を最小にして密接に重ね合わされていてもよい。幾つかの場合、一体化位置では、第１の分離可能部３１１、第２の分離可能部３１２、及び第３の分離可能部３１３は、複合的な部分として動く。
【００３８】
幾つかの実施例では、第１の分離可能部３１１、第２の分離可能部３１２、及び第３の分離可能部３１３は、第１のストラップ１２０の中間部分１３３から第１の端部１３１に向かって延びるリボン状部分つまりストリップを含んでいてもよい。幾つかの場合、第１の分離可能部３１１は、第１のストラップ１２０の中間部分１３３と連続して形成されていてもよい。更に、第２の分離可能部３１２及び第３の分離可能部３１３は、縫い付けつまり縫合によって中間部分１３３に取り付けられていてもよい。しかし、他の実施例では、第１の分離可能部３１１、第２の分離可能部３１２、及び第３の分離可能部３１３は、他の任意の方法で一体に接合されていてもよい。例えば、別の実施例では、第１の分離可能部３１１、第２の分離可能部３１２、及び第３の分離可能部３１３の全ては、第１のストラップ１２０と一体に成形されていてもよい。
【００３９】
幾つかの実施例では、第１の幅広部３３１、第２の幅広部３３２、及び第３の幅広部３３３は、第１の分離可能部３１１、第２の分離可能部３１２、及び第３の分離可能部３１３の夫々の折り返し部分を含んでいてもよい。この実施例では、例えば、第１の分離可能部３１１の端部３４１が折り返されて第１の幅広部３３１を形成する。幾つかの場合、端部３４１はその場所に縫い付けられる。同様に、第２の分離可能部３１２及び第３の分離可能部３１３の端部を折り返し、第２の幅広部３３２及び第３の幅広部３３３を形成してもよい。この構成では、第１の幅広部３３１、第２の幅広部３３２、及び第３の幅広部３３３は、第１の幅狭部３２１、第２の幅狭部３２２、及び第３の幅狭部３２３の夫々の約二倍の幅を備えている。
【００４０】
本実施例では、第１の分離可能部３１１、第２の分離可能部３１２、及び第３の分離可能部３１３は、実質的に同じ形状であってもよい。しかし、他の実施例では、第１の分離可能部３１１、第２の分離可能部３１２、及び第３の分離可能部３１３は、実質的に互いに異なる形状であってもよい。加えて、本実施例は三つの分離可能部を含むが、他の実施例では、他の任意の数の分離可能部を含んでいてもよい。
【００４１】
幾つかの場合、鼻緒部には、分離可能部を一体化位置に維持する手段が設けられていてもよい。例えば、幾つかの場合、ストラップと関連する分離可能部が、Ｖｅｌｃｒｏ（登録商標）等の面ファスナを使用して互いに取り付けられていてもよい。別の実施例では、バックルを使用して分離可能部を一体化位置に維持してもよい。分離可能部を一体化位置に維持する任意の他の手段を使用してもよいことが理解されよう。
【００４２】
履物は、分離可能部を使ってソール構造体の穴にストラップを取り外し自在に固定する手段を含む。幾つかの実施例では、分離可能部の幅広部は、穴に嵌着する幅を備えている。これに加え、幅広部の重ね合せ幅は、分離可能部が穴から引き出されないように、穴の幅よりも大きい。
【００４３】
図６〜図１３は、ソール構造体１１０に第１のストラップ１２０を取り付ける方法の実施例を示す。本実施例は、第１のストラップ１２０を取り付ける方法しか例示しないが、ソール構造体１１０に第２のストラップ１２２を取り付けるのに同じ技術を使用してもよいことが理解されよう。図６〜図１３を参照すると、第１のストラップ１２０は分離位置に配置されている。第１の分離可能部３１１、第２の分離可能部３１２、及び第３の分離可能部３１３が分離しており互いに実質的に独立して動く。
【００４４】
本実施例を理解する目的のため、幅という用語を使用した。穴に関連し、幅という用語は、ソール構造体の概ね横方向に沿った穴の寸法に関する。しかし、他の実施例では、幅という用語は、穴の別の寸法に言及するのに使用されてもよい。ストラップの分離可能部と関連して、幅という用語は、ストラップの長手方向及び横方向の両方向に対して概ね垂直な寸法に関する。しかし、他の実施例では、幅という用語は、ストラップの別の寸法に関する。
【００４５】
幾つかの実施例では、第１の穴１６０は、上部１８０及び下部１８２を含む。上部１８０は、ソール構造体１１０の上部１１２で開口している。下部１８２は、ソール構造体１１０の下部１１４で開口している。この場合、上部１８０の幅はＷ１であり、下部１８２の幅はＷ２であり、幅Ｗ２は幅Ｗ１よりも実質的に大きい。一実施例では、幅Ｗ１は、非伸長位置での上部１８０の幅に対応する。本実施例では、上部１８０及び下部１８２の各々の幅Ｗ１及び幅Ｗ２は、ソール構造体１１０の横方向に関して測定した値である。しかし、他の場合、幅Ｗ１及び幅Ｗ２は、ソール構造体１１０に対して任意の他の方向に関して測定した値であってもよい。
【００４６】
幾つかの場合、第１の幅広部３３１、第２の幅広部３３２、及び第３の幅広部３３３は、幅がほぼ同じであってもよい。しかし、他の場合、第１の幅広部３３１、第２の幅広部３３２、及び第３の幅広部３３３は、幅が互いに実質的に異なっていてもよい。例示した実施例では、明瞭化を図るため、第１の幅広部３３１、第２の幅広部３３２、及び第３の幅広部３３３の全ては、幅Ｗ３を備えていてもよい。本実施例では、幅Ｗ３は、第１のストラップ１２０の横方向及び長手方向に対して実質的に垂直な、第１の幅広部３３１、第２の幅広部３３２、及び第３の幅広部３３３の寸法と関連している。
【００４７】
更に、幾つかの場合、第１の幅狭部３２１、第２の幅狭部３２２、及び第３の幅狭部３２３は、幅がほぼ同じであってもよい。しかし、他の場合、第１の幅狭部３２１、第２の幅狭部３２２、及び第３の幅狭部３２３は、幅が互いに実質的に異なっていてもよい。例示の実施例では、明瞭化を図るため、第１の幅狭部３２１、第２の幅狭部３２２、及び第３の幅狭部３２３の全ては、幅Ｗ３よりも実質的に小さい幅Ｗ４を備えていてもよい。本実施例では、幅Ｗ４は、第１のストラップ１２０の横方向及び長手方向に対して実質的に垂直な、第１の幅狭部３２１、第２の幅狭部３２２、及び第３の幅狭部３２３の寸法と関連している。
【００４８】
最初に、図６及び図７に示すように、第１の分離可能部３１１を第１の穴１６０の上部１８０に挿入する。この例示の実施例では、第１の幅広部３３１の幅Ｗ３は、上部１８０の幅Ｗ１よりも実質的に小さい。この形態により、第１の穴１６０の上部１８０を通して第１の幅広部３３１を容易に挿入できる。
【００４９】
次に、図８及び図９に示すように、第１の分離可能部３１１を第１の穴１６０の上部１８０内に挿入した後、第２の分離可能部３１２を第１の穴１６０に挿入する。この実施例では、第１の穴１６０の上部１８０は、第２の分離可能部３１２の第２の幅広部３３２並びに第１の分離可能部３１１の第１の幅狭部３２１を受け入れるのに十分に幅広である。換言すると、上部１８０の幅Ｗ１は、第１の幅狭部３２１（幅Ｗ４）及び第２の幅広部３３２（幅Ｗ３）の重ね合せ幅を受け入れるのに十分に大きい。幾つかの場合、第２の幅広部３３２を第１の穴１６０の上部１８０内に完全に挿入するための隙間を提供するために、第１の分離可能部３１１は、第１の穴１６０を通して大きく下げられる。
【００５０】
第２の分離可能部３１２を穴１６０の上部１８０内に完全に挿入した後、図１０及び図１１に示すように、第３の分離可能部３１３を第１の穴１６０に挿入する。この場合、第３の分離可能部３１３の第３の幅広部３３３は、第１の幅広部３３１及び第２の幅広部３３２とほぼ同じ幅を有する。この実施例では、穴１６０の上部１８０の幅は、第１の幅狭部３２１及び第２の幅狭部３２２の両方と、第３の幅広部３３３を受け入れるのに十分に大きい。
【００５１】
次に図１２を参照すると、第１の幅広部３３１、第２の幅広部３３２、及び第３の幅広部３３３が穴１６０の上部１８０内に完全に挿入してある。この時点で、第１の分離可能部３１１、第２の分離可能部３１２、及び第３の分離可能部３１３は、第１の穴１６０内で一体化位置にある。詳細には、幾つかの場合、穴１６０の上部１８０があることによって、第１の分離可能部３１１、第２の分離可能部３１２、及び第３の分離可能部３１３が実質的に分離しない。
【００５２】
上述したように、第１の穴１６０の下部１８２の幅Ｗ２は、第１の幅広部３３１、第２の幅広部３３２、及び第３の幅広部３３３を同時に受け入れるのに十分に大きい。更に、第１の穴１６０の上部１８０の幅は、第１の幅狭部３２１、第２の幅狭部３２２、及び第３の幅狭部３２３を同時に受け入れるのに十分に大きい。しかし、第１の幅広部３３１、第２の幅広部３３２、及び第３の幅広部３３３の重ね合せ幅Ｗ５は、上部１８０の幅Ｗ１よりも実質的に大きい。この構成により、第１の分離可能部３１１、第２の分離可能部３１２、及び第３の分離可能部３１３は、第１の穴１６０の上部１８０を通して引き抜かれることがない。
【００５３】
幾つかの場合、ソール構造体は、穴がある程度伸びることを可能にする十分な弾性を持つ材料で形成されていてもよい。図１３を参照すると、第１の穴１６０の上部１８０は、伸長力が加わったときの上部１８０の最大限に可能な幅である伸長幅Ｗ６を有し得る。例示の実施例では、第１の幅広部３３１、第２の幅広部３３２、及び第３の幅広部３３３の重ね合せ幅Ｗ５は、伸長幅Ｗ６よりも実質的に大きい。換言すると、伸長状態であっても、第１の幅広部３３１、第２の幅広部３３２、及び第３の幅広部３３３は、第１の穴１６０の上部１８０内に嵌着できない。この構成は、第１のストラップ１２０をソール構造体１１０に固定することに寄与する。
【００５４】
履物には、鼻緒部を、分離可能部を使ってソール構造体の穴に取り外し自在に固定する手段が設けられていてもよい。幾つかの実施例では、分離可能部の幅広部は、穴に嵌着する断面積を有する。更に、一体化位置での複数の幅広部の合計の断面積は、分離可能部が穴から引き出されないように、穴の断面積よりも大きい。
【００５５】
図１４〜図１９は、鼻緒部２００をソール構造体１１０に取り付ける方法の実施例を示す。図１４〜図１９を参照すると、鼻緒部２００は、分離位置に配置されており、第１の分離可能部２１１、第２の分離可能部２１２、及び第３の分離可能部２１３は分離しており、互いに実質的に独立して動く。
【００５６】
本発明を理解する目的のため、断面領域という用語を使用する。ソール構造体の穴に関連して、断面領域という用語は、ソールの鉛直方向に対して実質的に垂直な穴の領域に関する。穴が実質的に円筒形の形状の実施例では、断面領域は、穴の軸線に対して垂直な円形の断面である。しかし、他の実施例では、断面領域という用語は、任意の他の方向に配向された穴の任意の領域に関する。分離可能部と関連して、断面領域という用語は、分離可能部の長さに沿って延びる方向である分離可能部の長手方向に対して実質的に垂直な分離可能部の領域に関する。しかし、他の実施例では、断面領域という用語は、任意の他の方向に配向された分離可能部の任意の領域に関する。
【００５７】
幾つかの実施例では、第３の穴１６４は、断面積Ａ１と関連していてもよい。詳細には、断面積Ａ１は、第３の穴１６４の上部１９０の断面の寸法を特徴付ける。幾つかの場合、断面積Ａ１は、ソール構造体１１０の鉛直方向に対して実質的に垂直な面積である。更に、幾つかの場合、第１の幅広部２３１、第２の幅広部２３２、及び第３の幅広部２３３は、断面積がほぼ同じであってもよい。一実施例では、第１の幅広部２３１、第２の幅広部２３２、及び第３の幅広部２３３の断面積はＡ２であってもよい。しかし、他の実施例では、第１の幅広部２３１、第２の幅広部２３２、及び第３の幅広部２３３は、断面積が実質的に互いに異なっていてもよい。更に、幾つかの実施例では、第１の幅狭部２２１、第２の幅狭部２２２、及び第３の幅狭部２２３の断面積はＡ３であってもよい。第１の幅狭部２２１、第２の幅狭部２２２、及び第３の幅狭部２２３の断面積は、本実施例ではほぼ同じであるが、他の実施例では第１の幅狭部２２１、第２の幅狭部２２２、及び第３の幅狭部２２３の断面積は実質的に互いに異なっている。
【００５８】
鼻緒部２００をソール構造体１１０に固定するため、最初に、図１４及び図１５に示すように、第１の分離可能部２１１を第３の穴１６４の上部１９０内に挿入する。この例示の実施例では、第１の幅広部２３１の断面積Ａ２は、第３の穴１６４の上部１９０の断面積Ａ１よりも実質的に小さい。この構成により、第１の幅広部２３１を第３の穴１６４の上部１９０内に容易に挿入できる。
【００５９】
次に、第１の分離可能部２１１を第３の穴１６４の上部１９０内に挿入した後、第２の分離可能部２１２を図１６に示すように第３の穴１９０に挿入する。この実施例では、第３の穴１６４の上部１９０は、第２の分離可能部２１２の第２の幅広部２３２並びに第１の分離可能部２１１の第１の幅狭部２２１を受け入れるのに十分に幅広である。換言すると、上部１９０の断面積Ａ１は、第１の幅狭部２２１（断面積はＡ３である）及び第２の幅広部２３２（断面積はＡ２である）の合計の断面積を受け入れるのに十分に大きい。幾つかの場合、第２の幅広部２３２を第３の穴１６４の上部１９０内に完全に挿入するための隙間を提供するために、第１の分離可能部２１１は、第３の穴１６４を通って大きく下げられる。
【００６０】
第２の分離可能部２１２を第３の穴１６４の上部１９０を通して完全に挿入した後、図１７に示すように第３の分離可能部２１３を第３の穴１９０に挿入してもよい。この場合、第３の分離可能部２１３の第３の幅広部２３３は、断面積が第１の幅広部２３１及び第２の幅広部２３２の断面積とほぼ同じであってもよい。この実施例では、第３の穴１６４の上部１９０は、第３の幅広部２３３並びに第１の幅狭部２２１及び第２の幅狭部２２２の両方を受け入れるのに十分に大きい。
【００６１】
次に図１８を参照すると、第１の幅広部２３１、第２の幅広部２３２、及び第３の幅広部２３３の全てが、第３の穴１６４の上部１９０を通して完全に挿入してある。この時点で、鼻緒部２００は一体化位置にある。特には、第３の穴１６４の上部１９０があることによって、第１の分離可能部２１１、第２の分離可能部２１２、及び第３の分離可能部２１３が実質的に分離しない。
【００６２】
幾つかの実施例では、第３の穴１６４の下部１９２の断面積Ａ４は、第１の幅広部２３１、第２の幅広部２３２、及び第３の幅広部２３３を同時に受け入れるのに十分に大きい。更に、第３の穴１６４の上部１９０は、第１の幅狭部２２１、第２の幅狭部２２２、及び第３の幅狭部２２３を同時に受け入れるのに十分に大きい。しかし、第１の幅広部２３１、第２の幅広部２３２、及び第３の幅広部２３３の合計の断面積Ａ５は、上部１９０の断面積Ａ１よりも実質的に大きい。この構成により、第１の分離可能部２１１、第２の分離可能部２１２、及び第３の分離可能部２１３が第３の穴１６４の上部１９０を通して引き出されることはない。
【００６３】
幾つかの場合、ソール構造体は、穴がある程度伸長するのに十分な弾性を持つ材料で形成されていてもよい。図１９を参照すると、第３の穴１６４の上部１９０は、伸長力が加わった場合の上部１９０の最大限に可能な断面積である伸長断面積Ａ６を有し得る。例示の実施例では、第１の幅広部２３１、第２の幅広部２３２、及び第３の幅広部２３３の合計の断面積Ａ５は、伸長断面積Ａ６よりも実質的に大きい。換言すると、伸長状態でも、第１の幅広部２３１、第２の幅広部２３２、及び第３の幅広部２３３は、第３の穴１６４の上部１９０を通過できない。この構成は、鼻緒部２００をソール構造体１１０に固定することに寄与する。
【００６４】
図２０及び図２１は、ソール構造体１１０の下部１１４の実施例を示す。図２０を参照すると、第１のストラップ１２０の第１の端部１３１が第１の穴１６０に挿入されている。この場合、第１の分離可能部３１１、第２の分離可能部３１２、及び第３の分離可能部３１３は分離位置にある。同様に、第２のストラップ１２２の分離可能部は分離位置にある。更に、鼻緒部２００は第３の穴１６４を通して配置されている。この場合、第１の分離可能部２１１、第２の分離可能部２１２、及び第３の分離可能部２１３は分離位置にある。図２０を参照すると、第１のストラップ１２０及び第２のストラップ１２２に応力が加わると、第１のストラップ１２０の第１の端部１３１及び第２のストラップ１２２の第１の端部１４１が引っ張られて、ソール構造体１１０の下部１１４と面一になる。特には、第１のストラップ１２０の第１の分離可能部３１１、第２の分離可能部３１２、及び第３の分離可能部３１３及び第２のストラップ１２２の分離可能部が一体化位置まで動いて、第１の穴１６０及び第２の穴１６２の各々に拘束される。同様に、鼻緒部２００が引っ張られて、下部１１４と面一になる。詳細には、第１の分離可能部２１１、第２の分離可能部２１２、及び第３の分離可能部２１３が一体化位置まで動いて、第３の穴１６４に拘束される。この構成により、下部１１４には、地面との滑らかな係わりを容易にする実質的に滑らかな外面が設けられていてもよい。
【００６５】
図２２〜図２５は、履物２２００の別の実施例を示す。図２２を参照すると、物品２２００は、上述の実施例で論じた物品１００と実質的に同じであってもよい。物品２２００は、前足部１０、中足部１２、及び踵部１４と関連していてもよい。更に、物品２２００は、外側１６及び内側１８と関連していてもよい。更に、物品２２００は、上部２２１２及び下部２２１４を含むソール構造体２２１０を含んでいてもよい。
【００６６】
幾つかの実施例では、物品２２００は、足をソール構造体２２１０に固定する手段を含んでいてもよい。幾つかの場合、物品２２００は、足の一部に巻き付けられる一つ又は複数のストラップを含んでいてもよい。一実施例では、物品２２００は、第１のストラップ２２２０及び第２のストラップ２２２２を含むストラップアッセンブリ２２１８を含んでいてもよい。第１のストラップ２２２０は、ソール構造体２２１０の外側１６と関連する第１の端部２２３１を含んでいてもよい。第２のストラップ２２２２は、ソール構造体２２１０の内側１８と関連する第１の端部２２４１を含んでいてもよい。更に、第１のストラップ２２２０は、物品２２００の前足部１０と関連する第２の端部２２３２を含んでいてもよい。同様に、第２のストラップ２２２２は、物品２２００の前足部１０と関連する第２の端部２２４２を含んでいてもよい。
【００６７】
第１のストラップ２２２０及び第２のストラップ２２２２は、ソール構造体２２１０と係合するように構成された一つ又は複数の固定部と関連していてもよい。幾つかの場合、第１のストラップ２２２０及び第２のストラップ２２２２は、鼻緒部２３００と関連していてもよい。鼻緒部２３００は、ストラップアッセンブリ２２１８をソール構造体２２１０に固定するのに使用される固定部である。更に、第１のストラップ２２２０及び第２のストラップ２２２２は、ソール構造体２２１０の第１の端部２２３１及び第１の端部２２４１の夫々に配置された第１の固定部２３５０及び第２の固定部２３５２と関連していてもよい。
【００６８】
鼻緒部２３００は、二つ以上の分離可能部を含んでいてもよい。幾つかの場合、鼻緒部２３００は、第１の分離可能部２３１１、第２の分離可能部２３１２、及び第３の分離可能部２３１３を含んでいてもよい。第１の分離可能部２３１１、第２の分離可能部２３１２、及び第３の分離可能部２３１３の各々は、それぞれ第１の幅狭部２３２１、第２の幅狭部２３２２、及び第３の幅狭部２３２３をさらに含んでいてもよい。同様に、第１の分離可能部２３１１、第２の分離可能部２３１２、及び第３の分離可能部２３１３は、更に、第１の幅広部２３３１、第２の幅広部２３３２、及び第３の幅広部２３３３を夫々含んでいてもよい。特には、この構成は、上述の実施例で鼻緒部２３００について説明した構成とほぼ同じである。
【００６９】
第１の固定部２３５０及び第２の固定部２３５２は、また、二つ以上の分離可能部と関連していてもよい。幾つかの実施例では、第１の固定部２３５０は、第１の分離可能部２３６１、第２の分離可能部２３６２、及び第３の分離可能部２３６３を含んでいてもよい。第１の分離可能部２３６１、第２の分離可能部２３６２、及び第３の分離可能部２３６３の各々は、第１の幅狭部２３７１、第２の幅狭部２３７２、及び第３の幅狭部２３７３と夫々関連していてもよい。同様に、第１の分離可能部２３６１、第２の分離可能部２３６２、及び第３の分離可能部２３６３は、第１の幅広部２３８１、第２の幅広部２３８２、及び第３の幅広部２３８３を夫々含んでいてもよい。特には、この構成は、上述の実施例で第１のストラップ１２０及び第２のストラップ１２２について説明した構成とほぼ同じである。同様に、第２の固定部２３５２は、第１の固定部２３５０の分離可能部と同様の三つの分離可能部を含んでいてもよい。
【００７０】
幾つかの実施例では、ソール構造体２２１０は、ストラップアッセンブリの幅及び／又は長さを変化させる手段を含んでいてもよい。幾つかの場合、ソール構造体に、ストラップアッセンブリをソール構造体に様々な方法で取り付けることができる複数の異なる穴が設けられていてもよい。
【００７１】
一実施例では、ソール構造体２２１０は、第１の穴セット２４００を含んでいてもよい。第１の穴セット２４００は、鼻緒部２３００と係合するように構成された二つ以上の穴を含んでいてもよい。本実施例では、第１の穴セット２４００は、第１の穴２４０２、第２の穴２４０４、及び第３の穴２４０６を含んでいてもよい。
【００７２】
一般に、第１の穴セット２４００に含まれる穴の断面の寸法は変化し得る。幾つかの場合、第１の穴セット２４００の各穴の断面の寸法は互いに実質的に異なっていてもよい。他の場合、第１の穴セット２４００の各穴の断面の寸法は、実質的に同じであってもよい。例示の実施例では、第１の穴セット２４００の各穴の断面の寸法は、実質的に同じであってもよい。この場合、第１の穴セット２４００の各穴の断面積はＡ１０である。更に、断面積Ａ１０は、鼻緒部２３００の第１の幅広部２３３１、第２の幅広部２３３２、及び第３の幅広部２３３３の断面積Ａ１１よりも実質的に大きいように選択されてもよい。更に、断面積Ａ１０は、鼻緒部２３００の第１の幅広部２３３１、第２の幅広部２３３２、及び第３の幅広部２３３３についての合計の断面積Ａ１２（図２３参照）よりも実質的に小さいように選択されてもよい。更に、幾つかの場合、第１の穴セット２４００の各穴の伸長断面積は、合計の断面積Ａ１２よりも実質的に小さい。この構成では、穴を通して第１の分離可能部２３１１、第２の分離可能部２３１２、及び第３の分離可能部２３１３を個々に挿入することによって、鼻緒部２３００を第１の穴セット２４００の任意の穴に挿入できる。また、この構成により、第１の分離可能部２３１１、第２の分離可能部２３１２、及び第３の分離可能部２３１３が一体化位置にある限り、鼻緒部２３００が穴から外れない。
【００７３】
一般に、第１の穴セット２４００を構成する穴は、任意の様式で配置されていてもよい。幾つかの場合、第１の穴セット２４００の穴は、概ね横方向に並べて配置されていてもよい。他の場合、第１の穴セット２４００の穴は、概ね長手方向に並べて配置されていてもよい。更に他の場合、第１の穴セット２４００の穴は、概ね斜め方向に並べて配置されていてもよい。例示の実施例では、第１の穴セット２４００の穴は、ほぼ長手方向に並べて配置されていてもよい。この構成により、様々な長さの足に合うようにストラップアッセンブリ２２１８を概ね長手方向に調節することが可能となる。
【００７４】
本実施例は、鼻緒部と係合する三つの穴を含むが、他の実施例では、他の任意の数の穴を使用できる。別の実施例では、例えば二つの穴だけを使用する。更に別の実施例では、四つ以上の穴を使用できる。更に、穴の数と隣接する穴の間隔とを変えることによって、ストラップの長さを微調節できる。換言すると、穴の数を増やすことによって、物品が適合し得る異なる足の長さの数を増やすことができる。
【００７５】
ソール構造体２２１０は、更に、第２の穴セット２４２０及び第３の穴セット２４２２を含んでいてもよい。第２の穴セット２４２０は、第１の固定部２３５０と係合するように構成された二つ以上の穴を含んでいてもよい。本実施例では、第２の穴セット２４２０は、第１の穴２４３２、第２の穴２４３４、及び第３の穴２４３６を含んでいてもよい。同様に、第３の穴セット２４２２は、第２の固定部２３５２と係合するように構成された二つ以上の穴を含んでいてもよい。例示の実施例では、第３の穴セット２４２２は、第２の穴セット２４２０の穴と実質的に同じ三つの穴を含む。詳細には、第３の穴セット２４２２は、第１の穴２４４２、第２の穴２４４４、及び第３の穴２４４６を含む。
【００７６】
一般に、第２の穴セット２４２０の穴の断面の寸法を変えることができる。幾つかの場合、第２の穴セット２４２０の各穴の幅は互いに実質的に異なっていてもよい。他の場合、第２の穴セット２４２０の各穴の幅は実質的に同じであってもよい。例示の実施例では、第２の穴セット２４２０の各穴の幅は実質的に同じであってもよい。この場合、第２の穴セット２４２０の各穴の幅はＷ１０である。更に、幅Ｗ１０は、第１の固定部２３５０の第１の幅広部２３８１、第２の幅広部２３８２、及び第３の幅広部２３８３の幅Ｗ１１よりも実質的に大きいように選択されてもよい。更に、幅Ｗ１０は、第１の固定部２３５０の第１の幅広部２３８１、第２の幅広部２３８２、及び第３の幅広部２３８３の重ね合せ幅Ｗ１２（図２３参照）よりも実質的に小さいように選択されてもよい。この構成では、第１の分離可能部２３６１、第２の分離可能部２３６２、及び第３の分離可能部２３６３を穴に個々に挿入することによって、第２の穴セット２４２０の任意の穴に第１の固定部２３５０を挿入できる。また、この構成により、第１の分離可能部２３６１、第２の分離可能部２３６２、及び第３の分離可能部２３６３が一体化位置にある限り、第１の固定部２３５０が穴から抜けない。
【００７７】
一般に、第２の穴セット２４２０を形成する穴は、任意の方法で配置できる。幾つかの場合、第２の穴セット２４２０の穴は、概ね横方向に並べて配置されていてもよい。他の場合、第２の穴セット２４２０の穴は、概ね長手方向に並べて配置されていてもよい。更に他の場合には第２の穴セット２４２０の穴は、概ね斜め方向に並べて配置されていてもよい。例示の実施例では、第２の穴セット２４２０の穴は、ほぼ横方向に並べて配置されている。この構成により、様々な足幅に対処するように、ストラップアッセンブリ２２１８を概ね幅方向に調節できる。
【００７８】
本実施例では、ストラップの固定部と係合する三つの穴が設けられているが、他の実施例では、他の任意の数の穴を使用できる。別の実施例では、例えば穴が二つしか設けられていなくてもよい。更に別の実施例では、四つ以上の穴を使用してもよい。更に、穴の数並びに隣接する穴の間の間隔を変えることによって、ストラップの幅が調節される尺度を微調節できる。換言すると、穴の数を増やすことによって、物品が受け入れることができる異なる足幅の数を増やすことができる。
【００７９】
本明細書中に論じた構成を使用し、ストラップアッセンブリの様々な固定部をソール構造体２２１０の互いに異なる穴に挿入することによって、ストラップアッセンブリの長さ及び／又は幅を変えることができる。例えば、図２３に示す形態は、第１の穴２４０２と係合した鼻緒部２３００を示す。この位置では、鼻緒部２３００は、後縁部２３９０から距離Ｄ１のところに配置されている。この場合、ストラップアッセンブリ２２１８は、第１の所定長さの足と係合するように構成される。図２４に示すように、実質的にさらに短い足に対し物品２２００を構成するために、鼻緒部２３００を第１の穴２４０２から取り外し、第２の穴２４０４に挿入してもよい。第１の分離可能部２３１１、第２の分離可能部２３１２、及び第３の分離可能部２３１３（図２２参照）の各々を第１の穴２４０２から個々に取り外すことによって、鼻緒部２３００を、第１の穴２４０２から取り外すことができることが理解されよう。換言すると、分離可能部の各々は、第１の穴２４０２に分離位置で挿入され得る。これは、鼻緒部の分離可能部を穴に挿入する（図１４〜図１９に示した）プロセスを逆に行うことによって行われる。
【００８０】
図２４に示すように、鼻緒部２３００を第２の穴２４０４に挿入する。この位置で、鼻緒部２３００は、後縁部２３９０から距離Ｄ２のところに配置される。この場合、ストラップアッセンブリ２２１８は、第１の所定の長さよりも実質的に小さい第２の所定の長さの足と係合するように構成される。
【００８１】
同様に、ストラップアッセンブリ２２１８の固定部は、様々な足幅に対処するように調節できる。例えば、図２４に示す形態は、第２の穴セット２４２０の第１の穴２４３２と係合した第１の固定部２３５０を示す。同様に、第２の固定部２３５２は、第３の穴セット２４２２の第１の穴２４４２と係合している。第１の固定部２３５０及び第２の固定部２３５２がこれらの位置にあるとき、第１の固定部２３５０と第２の固定部２３５２とは、距離が約Ｄ３だけ離間している。この場合、ストラップアッセンブリ２２１８は、第１の所定の幅の足と係合するように構成されている。さらに小さい足幅に対し物品２２００を構成するため、第１の固定部２３５０及び／又は第２の固定部２３５２の位置を調節してもよい。例示の実施例では、例えば、図２４に示すように、第２の穴セット２４２０の第３の穴２４３６まで第１の固定部２３５０を動かしてもよい。同様に、第３の穴セット２４２２の第３の穴２４４６まで第２の固定部２３５２を動かしてもよい。第１の分離可能部２３６１、第２の分離可能部２３６２、及び第３の分離可能部２３６３（図２２参照）を第１の穴２４３２から個々に取り外すことによって、第１の固定部２３５０を第１の穴２４３２から取り外すことができることが理解されよう。換言すると、分離可能部の各々は、第１の穴２４３２に分離位置で挿入され得る。これは、ストラップの分離可能部を穴に挿入する（図６〜図１３に示した）プロセスを逆に行うことによって行われる。第２の固定部２３５２もまた、同様に第１の穴２４４２から取り外すことができる。
【００８２】
図２５に示すように、第１の固定部２３５０及び第２の固定部２３５２の各々は、それぞれ、第２の穴セット２４２０の第３の穴２４３６及び第３の穴セット２４２２の第３の穴２４４６に配置されている。この位置では、第１の固定部２３５０及び第２の固定部２３５２は、距離Ｄ４だけ離間している。この構成において、ストラップアッセンブリ２２１８は、第１の所定の幅よりも実質的に小さい第２の所定の足幅と係合するように構成されている。
【００８３】
本実施例は、鼻緒部２３００と関連する多くの穴並びにストラップアッセンブリ２２１８の第１の固定部２３５０及び第２の固定部２３５０を示すが、他の実施例では、幾つかの穴は選択的であることが理解されよう。例えば、幾つかの場合、鼻緒部２３００と係合する穴が一つしか設けられていなくてもよい。同様に、他の場合、第１の固定部２３５０及び／又は第２の固定部２３５２と係合する穴が一つしか設けられていなくてもよい。
【００８４】
上述した実施例の物品は、当該技術分野で周知の履物を形成する材料で形成されていてもよい。例えば、ソール構造体は、エラストマー、シロキサン、天然ゴム、合成ゴム、アルミニウム、鋼、天然皮革、合成皮革、発泡体、又はプラスチックを含む任意の適当な材料で形成され得るがこれらに限定されない。これに加え、履物で使用される鼻緒部は、エラストマー、シロキサン、天然ゴム、合成ゴム、皮革、発泡体、又はプラスチックを含む任意の適当な材料で形成され得るがこれらに限定されない。一実施例では、鼻緒部はエラストマー材料で形成されてもよい。履物で使用されるストラップは、織製材料、布、皮革、ゴム、エラストマー、並びに他の任意の材料を含む任意の適当な材料で形成できる。
【００８５】
本発明の様々な実施例について説明したが、上記の説明は、例示を意図するものであり、限定することを意図していない。また、当業者には、本発明の範囲を逸脱することなく、さらに多くの実施形態や応用が可能であることが明らかであろう。従って、本発明は、添付の特許請求の範囲およびこれの均等物を考慮すること以外によっては限定されない。また、添付の特許請求の範囲を逸脱することなく、様々な変更や変形がなされ得る。
【符号の説明】
【００８６】
１０  前足部
１２  中足部
１６  外側
１８  内側
１００  履物
１１０  ソール構造体
１１２  上部
１１４  下部
１２０  第１のストラップ
１２２  第２のストラップ
１３１  第１の端部
１３２  第２の端部
１４１  第１の端部
１４２  第２の端部
１６０  第１の穴
１６２  第２の穴
【図１】
0005608883.tif 000002
【図２】
0005608883.tif 000003
【図３】
0005608883.tif 000004
【図４】
0005608883.tif 000005
【図５】
0005608883.tif 000006
【図６】
0005608883.tif 000007
【図７】
0005608883.tif 000008
【図８】
0005608883.tif 000009
【図９】
0005608883.tif 000010
【図１０】
0005608883.tif 000011
【図１１】
0005608883.tif 000012
【図１２】
0005608883.tif 000013
【図１３】
0005608883.tif 000014
【図１４】
0005608883.tif 000015
【図１５】
0005608883.tif 000016
【図１６】
0005608883.tif 000017
【図１７】
0005608883.tif 000018
【図１８】
0005608883.tif 000019
【図１９】
0005608883.tif 000020
【図２０】
0005608883.tif 000021
【図２１】
0005608883.tif 000022
【図２２】
0005608883.tif 000023
【図２３】
0005608883.tif 000024
【図２４】
0005608883.tif 000025
【図２５】
0005608883.tif 000026